(57)【要約】      （修正有）【課題】識別マークが変形することなく、また、複数のレーザ照射ユニットにおいて光路長が異なることがなくレーザビーム露光装置およびその方法を提供する。【解決手段】レーザビーム露光装置（５）は、レーザビーム光源（５ａ）から基板までのレーザビームの光路長を調整する光路長調整ユニット（６）と、基板の移動経路上で基板の上方に設けられ、光路長調整ユニットで光路長を調整したレーザビームを基板に照射する複数のレーザ照射ユニット（７）と、を有する。【選択図】図５
2010224544.tif 000002
【特許請求の範囲】
【請求項１】
基板を移動経路に沿って移動させながら、前記基板のパターン領域の周囲に形成される周辺領域にレーザビームを照射して識別マークを露光するレーザビーム露光方法において、  前記レーザビームの照度および照射範囲を、光路途中で測定するステップと、  前記照度または照射範囲の測定結果ならびに前記基板の移動速度に基づいて、レーザビーム光源または光路中の光学素子を調整するステップと、  前記基板の移動方向に対して直交する方向にレーザビームを走査するステップと、  を有することを特徴とするレーザビーム露光方法。 
【発明の詳細な説明】
【技術分野】
【０００１】
本発明は、基板のパターン領域の周辺に形成される周辺領域にレーザビームを照射して記号、文字等の識別マークをマーキング（露光）すると共に、周辺領域に紫外線を含む光を照射して周辺露光を行うレーザビーム露光装置およびその方法に関するものである。
【背景技術】
【０００２】
一般的に、露光装置においてパターンを露光される基板は、例えば、液晶基板において、当時５００ｍｍ×５００ｍｍ程度の寸法だったものが、現在では、２１６０ｍｍ×２４６０ｍｍという大型に拡大された寸法のものが扱われるようになっている。この大型の基板から予め設定された各個片に切断・分離されて通常の受像機器に搭載する基板が製作されている。基板が大型の状態から切断・分離された場合、その管理と製造工程の管理のために、各個片となる基板に文字、または記号あるいは図形、もしくはそれらの組み合わせからなる識別記号、分離する位置を判別するための切断位置識別コード、あるいは、アライメントマーク等（以下、識別マークという）を、予め分離前の基板にレーザビーム等により露光して形成している。  
【０００３】
また、基板においてパターン領域の周辺である周辺領域に存在する不要なフォトレジストインクは、後工程にて支障となるので、予め露光させておく必要がある。不要なフォトレジストインクを含む周辺領域には、前記したように識別マークを表示する必要があり、この周辺領域は、所定の幅で設定されている。そして、その周辺領域において識別マークを形成する位置は、周辺領域の中央部に配置される場合だけではなく、ある場所ではパターン領域の近くであったり、ある部分では基板のエッジ側や、あるいは、反対側のパターン領域の近くであったりする。  
【０００４】
基板は、パターン領域が露光され、その後、周辺領域を露光することで不要なフォトレジストインクを除去し、個片に切断・分離するときに処理し易くなるように周辺露光装置により露光されている（例えば、特許文献１、２参照）。  
【０００５】
そして、基板の製造工程では、パターン領域を露光する露光装置、周辺領域のフォトレジストインクを露光する周辺露光装置、識別マークを露光（表示）する露光装置等、各種の露光装置が製造ラインに存在している。そして、パターン領域を露光装置により露光した後に、レーザビーム露光装置により、基板の周辺領域においてレーザを照射して識別マークをマーキング（露光）し、つぎに、周辺露光装置により基板の周辺領域を所定波長の紫外線を含む光により照射して露光することが一般的に行われている。  
【０００６】
レーザの照射により識別マークをマーキングするレーザビーム露光装置は、一例として、つぎのような動作を行っている。すなわち、基板の周辺領域に形成される識別マークをマーキングする場所に対して、基板を載置したステージの上方に配置した露光ユニットからレーザビームを出力する。そして、基板を載置したステージと、露光ユニットとを相対移動するように、直線方向とその直線方向に直交する直交方向に時系列的に順次走査させると共に、その照射位置を相対移動方向にずらすことで、基板上の照射点を直交座標となる平面に整列させて識別マークをマーキングしている（例えば、特許文献３参照）。  
【０００７】
この識別マークの形成方法（表示方法）は、フォトレジストインクを塗布した基板とレーザビームは常に相対的に位置した場所に、レーザビームによるドットを露光することになり、識別マークが所定の幅においてマーキングされるので、ステージが直線移動する方向に直交する直交方向に、常に微小なレーザビームをスキャンしながら識別マークを露光している。  
【０００８】
また、基板の周辺領域の不要なフォトレジストインクを露光させるための光源は、ライトガイドの射出端の倍率を変化させて形状を設定される構成の露光装置が提案されている（例えば、特許文献４参照）。この露光装置では、調整の過程で、レーザビームを投影する像の大きさを変化させる方式を採用しており、局所的に投影する光路を拡大または縮小することにより、ライトガイドから射出した光の幅を制御するので、照射される露光光は、光路の中心に対して対称に拡大若しくは縮小する幅となる。    
【特許文献１】特許第２９１０８６７号公報
【特許文献２】特許第３４１８６５６号公報
【特許文献３】特許第３５４７４１８号公報
【特許文献４】特許第３１７５０５９号公報
【発明の開示】
【発明が解決しようとする課題】
【０００９】
しかし、従来の識別マークのレーザビーム露光装置では、以下に示すような問題点が存在した。  
【００１０】
（１）従来のレーザビーム露光装置では、基板を載置したステージの移動方向と直交する方向に時系列的に順次偏向するようにレーザビームを偏向させて走査しているが、レーザビームを偏向させて走査すると、レーザビームがステージに到達する地点が遠い地点とレーザビームを放射した地点に近いところでは、光路を分岐した後、基板までの光路長が変わるため、レーザビームの形状（ドット）が照射場所ごとに少しずつ異なってくる。即ち、従来の露光装置では同じ列あるいは同じ行の識別マークを露光するときに、複数の照射口から照射されるレーザビームの１ドットの形が変化してしまう。そのため、識別マークの位置あるいは形状にかかわりなくレーザビームの１ドットの形が変化しない構成が望まれていた。  
【００１１】
（２）従来のレーザビーム露光装置では、識別マークを露光するレーザビームは、各種光学系を経由して射出されているが、複数のビームを射出する方式のレーザビームでは、必ずしも射出の中心にて条件を設定されていることの確認ができないので、結局は最終的に照射された結果、即ち露光された識別マークの状態で、レーザビームの調整・制御の良否を判断せざるを得ない。そのため、なんらかの基板、例えば調整用の基板に、露光装置のレーザビームを照射した結果により、当該レーザビームの調整、制御を行うことになり作業が面倒であった。  
【００１２】
本発明は、これら問題点に鑑み創案されたものであり、識別マークが変形することなく、また、複数のレーザ照射ユニットにおいて光路長が異なることがなく、かつ、レーザビームの調整・制御が面倒でなく、そして、基板の表面を汚染する原因が最小限となるレーザビーム露光装置およびその方法を提供することを課題とする。
【課題を解決するための手段】
【００１３】
課題を解決するために、第一の観点に係るレーザビーム露光装置は、基板を移動経路に沿って移動させ当該基板のパターン領域の周囲に形成される周辺領域にレーザビームを照射して識別マークを露光するレーザビーム露光装置において、レーザビーム光源から基板までのレーザビームの光路長を調整する光路長調整ユニットと、基板の移動経路上で基板の上方に設けられ、光路長調整ユニットで光路長を調整したレーザビームを基板に照射する複数のレーザ照射ユニットと、を有する。  
【００１４】
このように構成された本装置は、レーザビーム光源からレーザビームが照射され、それぞれのレーザ照射ユニットにレーザビームが送られる。このとき、レーザビームから分岐して各レーザ照射ユニットまでの光路長が等しくなるようになっているために、レーザビーム光源から各レーザ照射ユニットを介して基板に照射されるレーザビームの光路長が全て等しい状態となる。このため、レーザビームの１ドットの形が変化しない。  
【００１５】
また、第二の観点に係るレーザビーム露光装置は、光路長調整ユニット内の光路またはレーザ照射ユニット内の光路の少なくとも一方に配置されレーザビームの照射径および照射位置を測定する撮像素子と、撮像素子で測定された照射径に基づいて、レーザビームの照射径を調整するビームエキスパンダと、撮像素子で測定された照射位置に基づいてレーザビームの照射位置を調整する位置調整手段と、を有する。  
【００１６】
このように構成された本装置は、レーザビーム光源から照射したレーザビームを分岐して撮像素子により撮影することで、レーザビームのピント、露光位置の調整確認等を行い、また、さらに、ビームエキスパンダによりレーザビームのフォーカシングや拡大を行っている。また、反射鏡などの位置調整手段により照射位置を調整することができる。つまり、レーザビームの良否を判断し、レーザビームの調整を行うことができる。  
【００１７】
さらに、第三の観点に係るレーザビーム露光装置では、基板の移動速度に応じて、レーザビームの照射強度を変更する。  レジストインクを露光するためレーザビームを一定量照射しなければならない。第三の観点による構成により、基板の移動速度の速さに応じて、レーザビームの照射強度を変更することができるので、過剰露光または非露光により識別マークが不良となる問題がなくなる。  
【００１８】
第四の観点に係るレーザビーム露光装置は、第三の観点において、光路長調整ユニット内の光路またはレーザ照射ユニット内の光路の少なくとも一方に配置され、レーザビームのパワーを測定するパワーメータと、パワーメータで測定されたパワーに基づいて、レーザビームの照射強度を調整する照射強度調整手段と、を有する。  
【００１９】
このように構成された本装置は、パワーメータによりレーザビームのパワーの状態を検出し、レーザビームのパワーの調整を行うことができる。たとえば、基板が所定の速度で移動している最中に識別マークを露光するためには、基板の移動速度およびレジストインクの反応度などを考慮して、レーザビームの照射強度の調整を行う必要がある。このような場合に、光路長調整ユニット内の光路またはレーザ照射ユニット内の光路の少なくとも一方にパワーメータが配置されているのでパワーの測定が簡易にでき、照射強度の調整ができる。  
【００２０】
また、第五の観点に係るレーザビーム露光装置では、第四の観点において、照射強度調整手段がレーザビーム光源の調整またはレーザビームの所定時間内の繰り返し周波数の調整を行う。  
【００２１】
このように構成された本装置は、レーザビ
ームの照射強度の調整を、レーザビーム光源の調整、たとえば励起光量の強弱、またはパルスの発光および消光との繰り返し周波数を調整することで短時間に行うことができる。  
【００２２】
さらに、第六の観点に係るレーザビーム露光装置では、第四の観点において、照射強度調整手段は、前記レーザビームの光路に配置された音響光学素子または前記レーザビーム径を広げるビームエキスパンダの調整を行う。  
【００２３】
このように構成された本装置は、レーザビームの照射強度の調整を、レーザビームの光路に配置された音響光学素子もしくはレーザビーム径を広げるビームエキスパンダの調整でレーザビームを遮断することなく短時間で行うことができる。  
【００２４】
また、第七の観点に係るレーザビーム露光装置では、レーザ照射ユニットが、レーザビームを所定方向に反射するデジタルマイクロミラーディバイスと、このデジタルマイクロミラーディバイスから反射された反射光の光路中に設置され、基板の周辺領域に照射する照射用レンズと、を有する。  
【００２５】
このように構成された本装置は、基板にレーザビームを照射するときには、レーザビームをデジタルマイクロミラーディバイスに送り、そのデジタルマイクロミラーディバイスのトーションヒンジに設けた微小なミラーの角度をヨーク等により傾斜させることで、レーザビームの方向を調整し、光路中に配置されたビーム照射用レンズを介して予め設定された基板の周辺領域にレーザビームを照射して識別マークを露光する。  
【００２６】
さらに、第八の観点に係るレーザビーム露光方法は、基板を移動経路に沿って移動させながら、基板のパターン領域の周囲に形成される周辺領域にレーザビームを照射して、識別マークを露光する。そして、この方法は、レーザビームの照度および照射範囲を光路途中で測定するステップと、照度または照射範囲の測定結果ならびに基板の移動速度に基づいて、レーザビーム光源または光路中の光学素子を調整するステップと、基板の移動方向に対して直交する方向にレーザビームを走査するステップと、を備える。  
【００２７】
このように構成された本方法は、露光された識別マークの状態からレーザビームの調整・制御の良否を判断するのではなく、光路中でレーザビームの状態を検出する。そして、実際に基板、例えば調整用の基板に、露光装置のレーザビームを照射することなく、当該レーザビームの調整および制御を行うことができるようになる。
【発明の効果】
【００２８】
本発明に係るレーザビーム露光装置およびその方法では、以下に示すように優れた効果を奏するものである。  
【００２９】
本装置は、レーザビームユニットがレーザビーム光源から各レーザ照射ユニットまで光路長を等しくなるように構成しているので、レーザビームの面積、照度等が常に等しくなり、識別マークが変形することなく適正に露光される。  
【００３０】
本装置は、レーザビームの光路中に撮像素子、パワーメータおよびビームエキスパンダを備えていることから、レーザビームの調整が基板の周辺領域に直接露光することなく検査できる。
【発明を実施するための最良の形態】
【００３１】
以下、本発明に係るレーザビーム・紫外線照射周辺露光装置およびその方法を実施するための最良の形態について図面を参照して説明する。  図１は、レーザビーム・紫外線照射周辺露光装置の一部を省略して側面方向から装置内を模式的に示す断面図、図２は、レーザビーム・紫外線照射周辺露光装置の一部を省略して背面方向からの装置内を模式的に示す断面図、図３（ａ）、（ｂ）は、レーザビーム・紫外線照射周辺露光装置で使用される基板の一例を示す平面図、図４はレーザビーム・紫外線照射周辺露光装置のステージを示す側面図である。  
【００３２】
図１に示すように、レーザビーム・紫外線照射周辺露光装置（以下、「本装置」という）１は、搬入される基板Ｗを保持するステージ２と、このステージ２に保持された基板Ｗおよびステージ２の所定位置を撮像する撮像手段４と、ステージ２に保持された基板Ｗを搬送あるいは移動させる移動搬送機構３と、この移動搬送機構３により搬送された基板Ｗのパターン領域Ｗｐの周辺である周辺領域Ｗｃにおいて識別マークＭを露光するレーザビームユニット５と、基板Ｗの周辺領域Ｗｃに露光された識別マークＭを遮蔽してその他の周辺領域Ｗｃに所定波長の紫外線を含む光（以下、「紫外線光」という）を照射する紫外線照射ユニット９と、移動搬送機構３、レーザビームユニット５、紫外線照射ユニット９を制御する制御機構２０と、を主に備えている。  
【００３３】
図３（ａ）、（ｂ）に示すように、基板Ｗは、四角形状に形成され、例えば、２行３列のパターン領域Ｗｐを形成し、かつ、各パターン領域Ｗｐの周辺に周辺領域Ｗｃを形成している。そして、基板Ｗの周辺領域Ｗｃは、各パターン領域Ｗｐを切断して切り離すときの切断代となるとともに、記号、文字、図形、あるいは、それらの組み合わせたもの等（以下、識別マークという）が形成される領域である。なお、ここでは、基板Ｗの周辺領域Ｗｃは、縦横にそれぞれ識別マークＭ（Ｍ１，Ｍ２）が形成され、かつ、それぞれの識別マークＭの照射面積が等しくなるように、ここでは形成されている。  
【００３４】
図１および図４に示すように、ステージ２は、基板Ｗを保持するためのものであり、移動搬送機構３に支持された基台２ａと、この基台２ａに立設した支持柱２ｂと、この支持柱２ｂと基板Ｗとの対面する位置に形成された吸着用開口部２ｃと、当該ステージ２の位置を検出するための位置決めマーク２ｄとを備えている。  
【００３５】
基台２ａは、ここでは、取り扱う基板Ｗの面積と同等あるいはそれ以上の面積の平面を有する扁平な直方体に形成されており、複数の支持柱２ｂを当該基台２ａの平面に直交する方向（垂直方向）に支持するものである。この基台２ａは、複数の支持柱２ｂを垂直方向に支持することができるものであれば、例えば円盤形状にする等、特にその形状について限定されるものではない。なお、基台２ａは、碁盤の目状に支持柱２ｂを着脱自在に設置する部位を予め設けておき、基板Ｗの大きさに応じて支持柱２ｂの数と位置を調整できるようにすると都合がよい。  
【００３６】
支持柱２ｂは、基板Ｗに当接して基板を水平（垂直方向に対して直交する平面）保持するためのものであり、基台２ａから所定高さの位置で、基台２ａに複数が設置されている。この支持柱２ｂは、ここでは、基板Ｗの搬入にロボットハンド（図示せず）を想定しているため、基板Ｗの裏面をロボットハンドの２本のフォーク（図示せず）で保持した状態で搬入されて来た時に、そのフォークによる受け渡しができる直線的な空間をあけた状態で、かつ、基板Ｗの水平が保つことができる間隔に複数が整列して配置されている。  
【００３７】
また、支持柱２ｂは、その基板Ｗに当接する先端位置の形状を、ここでは、平面状に形成しており、その平面部分に、当該基板Ｗを真空吸着して保持するための吸着用開口部２ｃを有している。この吸着用開口部２ｃは、図示しない真空吸着機構から連通された状態に設けられている。なお、この吸着用開口部２ｃは、全ての支持柱２ｂに形成してもよく、また、基板Ｗを保持することができれば、所定位置の支持柱２ｂに形成するようにしてもよい。  
【００３８】
位置決めマーク２ｄは、撮像手段４の基準位置に対応するように、ステージ２の基台２ａの平面側に立設して、あるいは、基台２ａの側面に沿って立設（図２参照）した支柱の先端に形成されている。この位置決めマーク２ｄは、例えば、支柱の先端となる基板側に十字マーク等として形成されており、少なくとも３箇所に形成されているが、撮像手段４の数に対応した数（ここでは４基）設置しても構わない。なお、位置決めマークの形状、設置高さは、特に限定されるものではない。また、ここでは、位置決めマーク２ｄは、基板Ｗが透明であるため、基板面の内側に配置されているものもあるが、基板Ｗがレジストインク等で覆われているために透明でない場合には、もちろん、基板Ｗの周辺となる位置でステージ２に設置されることになる。  
【００３９】
ステージ２は、以上説明したように構成されていることで、支持柱２ｂと基台２ａとにより基板Ｗを基台２ａから所定間隔あけた位置に平面を保った状態で保持することができる。そのため、新たな搬入手段を配置する必要がなく、図示しないロボットハンド等の基板Ｗを装置間で搬送するような機構からそのまま受取ることができなかったことが解消される。  
【００４０】
撮像手段４は、基板Ｗの上方から基板Ｗの所定位置およびステージの位置決めマーク２を撮像するためのものである。この撮像手段４は、支持フレームＡ１に案内レール等（図示せず）によりＸ方向およびＹ方向に移動自在に設置されており、例えば、ＣＣＤカメラ等が使用されている。この撮像手段４は、予め設定された基準位置で位置決めマーク２ｄを撮像し、その後、一直線方向であるＸ方向およびこのＸ方向に直交するＹ方向に自在に移動して基板Ｗのアライメントマークあるいは基板Ｗの角部（エッジ）のいずれか予め設定されている所定位置を撮像するように動作して、それぞれの画像データを取得して後記する制御機構２０に出力している。  
【００４１】
そして、撮像手段４により取得した画像データを解析して得られる基板位置と、ステージ位置とに基づいて、制御機構２０からの指令により移動搬送機構３を介して整合作業が相対的に行われる。  
【００４２】
移動搬送機構３は、基板Ｗの整合作業を行うとともに、移動経路Ｌに沿って基板Ｗを搬送し、かつ、露光時（レーザビームの照射時および紫外線光の照射時）に基板Ｗを所定速度で移動させるものである。この移動搬送機構３は、一方の直線方向であるＸ直線方向にステージ２を移動させる第１移動ガイド機構３Ａと、このＸ直線方向に直交する直線方向であるＹ直線方向にステージ２を移動させる第２移動ガイド機構３Ｂと、ステージ２に保持された基板面に直交する垂線の垂線回りとなる回転方向（θ方向）にステージ２を移動させる第３移動ガイド機構３Ｃとを備えている。なお、ここで使用される第１ないし第３移動ガイド機構３Ａ〜３Ｃは、直線方向に移動させるもの、あるいは、回転方向にステージ２を移動させるものであり、設置される位置、ガイドの長さ等の違いはあるが共通の構成を備えているため、第１移動ガイド機構３Ａを主に説明することとする。  
【００４３】
図２に示すように、第１移動ガイド機構３Ａは、Ｓ極、Ｎ極を交互に配列した磁力ガイド（一次側ガイド）に沿って移動するリアクティングプレートを有するリニアモータ３ａと、このリニアモータ３ａに沿って設置した移動レール３ｂ，３ｂとを備えている。なお、この第１移動ガイド機構３Ａは、リニアモータ３ａの両側に移動レール３ｂ，３ｂを設置した構成としているが、移動レール３ｂはどちらか一方でもよく、当該移動レール３ｂの代わりにエア等による流体軸受けを用いる等であっても構わない。また、第１移動ガイド機構３Ａは、リニアモータ３ａを用いる構成であることが望ましいが、一定の精度で移動制御できるものであれば、サーボモータと送りネジによる移動機構等であってもよく、特に限定されるものではない。  
【００４４】
移動搬送機構３は、ここでは、Ｘ直線方向にステージ２を移動させる第１移動ガイド機構３Ａと、Ｙ直線方向にステージを移動させる第２移動ガイド機構３Ｂとの間に回転方向にステージ２を回転移動させる第３移動ガイド機構３Ｃを設置しているが、第２移動ガイド機構３Ｂと第３移動ガイド機構３Ｃの上下位置を入れ替えて設置しても構わない。この移動搬送機構３により基板Ｗの整合作業を相対的に行う場合は、次のようにしている。  
【００４５】
はじめに、移動搬送機構３は、搬入された基板Ｗを保持するステージ２を、Ｙ直線方向に移動する第２移動ガイド機構３Ｂにより、予め設定された基準位置に移動する。そして、撮像手段４によりステージ２の位置決めマーク２ｄ，２ｄ，２ｄを撮像して後記する制御機構２０に画像データを送る。さらに、撮像手段４により基板Ｗのエッジ（またはアライメントマーク（図示せず））を撮
像して制御機構２０に画像データを送る。後記する制御機構２０は、送られて来た画像データを解析して、基板位置とステージ位置とを比較するとともに、基板Ｗの整合位置を演算して移動搬送機構３を移動制御することで相対的に整合作業を行っている。なお、整合作業を行うとともに、予め入力された当該基板Ｗの品種データである識別マークＭ（図３参照）の形状および位置に基づいて、搬送先（レーザビームの露光位置（照射開始位置））に搬送できる位置にステージ２の位置を調整しても構わない。  
【００４６】
移動搬送機構３は、制御機構２０からの信号により、ここでは、主に第３移動ガイド機構３Ｃおよび第２移動ガイド機構３Ｂを用いて基板Ｗの整合作業を行っている。もちろん、第３移動ガイド機構３Ｃ、第２移動ガイド機構３Ｂあるいは第１移動ガイド機構３Ａを用いて、基板Ｗの整合作業を行っても構わない。また、整合作業を行った後に、レーザビームユニット５の所定位置にＸ直線方向に搬送してから、Ｙ直線方向に第２移動ガイド機構３Ｂを用いて露光位置に、位置調整するように移動する構成としても構わない。  
【００４７】
つぎに、レーザビームユニット５について説明する。図１および図２に示すように、レーザビームユニット５は、基板Ｗの周辺領域Ｗｃに識別マークＭをレーザビームにより露光するためのものである。そして、このレーザビームユニット５は、図５に示すように、ここでは、支持フレームＡ１に支持されて固定され、レーザビームの光路長を調整する光路長調整ユニット６と、この光路長調整ユニット６で光路長を調整されたレーザビームを基板Ｗの周辺領域Ｗｃに照射するレーザ照射ユニット７とを備えている。なお、図５は、本装置のレーザビームユニットの構成を模式的に示す模式図である。図５に示すように、レーザビームユニット５は、ここでは、レーザ照射ユニット７を３基有しており、一つのレーザビーム光源５ａから照射されたレーザビームを分岐してそれぞれのレーザ照射ユニット７から基板Ｗの周辺領域Ｗｃの三箇所にレーザビームを照射するように構成されている。  
【００４８】
図５に示すように、光路長調整ユニット６は、レーザビーム光源５ａと、光路調整反射鏡５ｂと、レーザビームの分岐手段６ａを介して設置されたＣＣＤ撮像素子６ｂおよびパワーメータ６ｃとを備えている。  レーザビーム光源５ａは、基板Ｗの周辺領域Ｗｃに塗布されているレジストインクの露光領域に対応する波長が選択され、例えば、パルス出力するものであり、発光および消光を高速で交互に繰り返すものが使用されている。このため、繰り返し周波数を可変することで、所定時間内(sec)のレーザビームの積算強度を可変することが可能である。  
【００４９】
光路調整反射鏡５ｂは、レーザビーム光源５ａから照射されたレーザビームの光路長を レーザ照射ユニット７，７，７に入射するまでに調整するために所定位置に設置されるものである。この光路調整反射鏡５ｂは、レーザビームを全反射する全反射鏡と、当該レーザビームを分岐して反射する分岐反射鏡（ビームスプリッタ）とをそれぞれ所定の位置に設置している。そして、レーザビーム光源５ａから光路を第１および第２のレーザ照射ユニット７，７に分岐する位置に、光路調整反射鏡５ｂの内、分岐反射鏡が設置されており、第３のレーザ照射ユニット７に反射する位置およびその他の位置には、全反射鏡が配置されている。この光路調整反射鏡５ｂは、レーザビーム光源５ａからレーザ照射ユニット７のそれぞれに入射するレーザビームの光路長が全て等しくなる位置に設置されており、かつ、レーザビーム光源５ａからはじめに反射されてから２回の反射により各レーザ照射ユニット７に反射する位置に設置されている。  
【００５０】
なお、光路長調整ユニット６内の光路中には、レーザビームを分岐するビームスプリッタ等の分岐手段６ａを介して、レーザビームの照射径および照射位置を測定するためのＣＣＤ撮像素子６ｂおよびレーザビームのパワーを測定するパワーメータ６ｃが設置されている。ここで測定された測定結果は、後記する制御機構２０に送られる。そして、制御機構２０に送られた当該測定結果は、レーザビーム光源５ａの調整を行うために反映させている。  
【００５１】
図５に示すように、レーザ照射ユニット７は、光路調整反射鏡５ｂから反射されたレーザビームを回折する音響光学素子７ａと、この音響光学素子７ａで回折されたレーザビームを所定方向に反射する反射鏡７ｂ，７ｂと、この反射鏡７ｂ，７ｂで反射されたレーザビームを偏向走査するガルバノミラユニット７ｃと、このガルバノミラユニット７ｃからのレーザビームを基板Ｗの周辺領域に照射するｆθレンズ７ｄとを備えている。なお、レーザ照射ユニット７の音響光学素子７ａからｆθレンズ７ｄまでの光路には、レーザビームを測定して調整するためのレーザビーム測定調整機構８が設置されている。  
【００５２】
音響光学素子７ａは、レーザビームを回折するものであり、振幅変調あるいは周波数変調によりレーザビームの強度（輝度）を調整するものである。この音響光学素子７ａは、反射鏡７ｂ，７ｂで光路を変更した後の位置に設置する構成としても構わない。  
【００５３】
反射鏡７ｂは、レーザビームの光路の向きを調整するものであり、ここではレーザビームを全反射させている。この反射鏡７ｂは、レーザビームを反射することができるものであれば、特に限定されるものではない。  
【００５４】
ガルバノミラユニット７ｃは、ガルバノミラーを有し、レーザビームを偏向走査するものであり、後記する制御機構２０からの信号により識別マークＭをレーザビームにより露光できるように、当該レーザビームを偏向走査している。なお、このガルバノミラユニット７ｃは、ガルバノミラーを制御する構成について、限定されるものではない。  
【００５５】
ｆθレンズ７ｄは、ガルバノミラユニット７ｃのガルバノミラーで偏向されたレーザビームを平らな像面に集光し、走査することができるものである。このｆθレンズ７ｄは、入射瞳径、走査角、走査範囲、テレセントリック性等の構成を、ガルバノミラーおよびレーザビームの波長等に対応させたものであれば、特に限定されるものではい。  
【００５６】
図５に示すように、レーザビーム測定調整機構８は、反射鏡７ｂからのレーザビームをビームスプリッタ等の分岐手段により分岐してパワーを測定するパワーメータ８ａと、レーザビームのスポット径あるいはコリメーションの範囲を広げる等の操作を行うビームエキスパンダ８ｃと、分岐手段によりレーザビームを分岐してレーザビーム径および照射位置を測定するＣＣＤ撮像素子８ｂを備えている。そして、このレーザビーム測定調整機構８で測定された結果は、後記する制御機構２０に送られ、適切なレーザビームの状態になるように、音響光学素子７ａあるいはビームエキスパンダ８ｃを介して調整されるように反映される。  
【００５７】
以上の構成を備えるレーザビームユニット５は、以下のように動作する。すなわち、基板Ｗがレーザビーム照射開始位置に移動すると、レーザビーム光源５ａを点灯してレーザビームを光路長調整ユニット６の各光路調整反射鏡５ｂを介して各レーザ照射ユニット７，７，７の音響光学素子７ａ，７ａ，７ａに導き、当該音響光学素子７ａ，７ａ，７ａからガルバノミラユニット７ｃ，７ｃ，７ｃおよびｆθレンズ７ｄ，７ｄ，７ｄを介してレーザビームヘッド５Ａ，５Ａ，５Ａにより、レーザビームを基板Ｗの周辺領域に照射して識別マークＭ１（図３参照）を露光する。このとき、照射されるレーザビームは、基板Ｗの移動方向に対して直交する方向に走査して、かつ、基板Ｗを所定速度で移動しながら識別マークＭ１を露光している。なお、レーザビームユニット５は、そのレーザビームヘッド５Ａ，５Ａ，５Ａの設置間隔は固定されているため、ガルバノミラユニット７ｃ，７ｃ，７ｃによるレーザビームの振り幅の範囲で、基板Ｗのサイズあるいは識別マークの形成位置に対応している。  
【００５８】
図１、図２および図６に示すように、紫外線照射ユニット９は、基板Ｗの移動経路の上方において、レーザビームユニット５に隣り合う位置に設置されており、基板Ｗの周辺領域Ｗｃに紫外線光を照射するためのものである。この紫外線照射ユニット９は、ここでは、基板ＷのＸ直線方向に直交する方向に移動できるように、２基が移動機構１２を介して設置されている。なお、図６は、本装置の紫外線照射ユニットの構成を、一部を切欠いて示す断面図である。  
【００５９】
なお、図６に示すように、移動機構１２は、すでに説明した第１移動ガイド機構３Ａと同じようにリニアモータ１２ａおよびＬＭガイド（移動レール）１２ｂ、１２ｂを備えており、迅速にかつ精密な移動制御を行うことができるものである。  
【００６０】
図６に示すように、紫外線照射ユニット９は、紫外線光を照射する放電灯９ａと、この放電灯９ａに設けられ光を集光するように反射する楕円反射鏡９ｂと、この楕円反射鏡９ｂにより集光された光路中に設置された光路シャッタ機構９ｃと、この光路シャッタ機構９ｃより基板Ｗ側の光路で楕円反射鏡９ｂからの光の集光位置に設置されたフライアイレンズ９ｄと、このフライアイレンズ９ｄを透過してくる光を平行光として基板Ｗの周辺領域Ｗｃに照射するための照射用レンズ９ｅと、この照射用レンズ９ｅからの光の少なくとも一部を遮光（隠蔽）する構成を有する照射領域調整シャッタ機構１０と、照射面積を変更する照射面積調整シャッタ機構１３と、を備えている。  
【００６１】
なお、紫外線照射ユニット９は、前記した放電灯９ａ等の各構成を筐体９ｋ内に設置しており、筐体９ｋの下面となる基板Ｗと対面する位置で、照射用レンズ９ｅからの照射光の光路となる位置に照射口９ｍを形成している。さらに、紫外線照射ユニット９は、照射する照射光を計測する計測器１１を筐体９ｋに備えるか、あるいは、紫外線照射ユニット９が所定位置に移動機構１２を介して移動して停止したときに、照射口９ｍに対応して計測できる位置に計測器１１が設置されている。  
【００６２】
放電灯９ａは、基板Ｗの周辺領域Ｗｃに塗布されているレジストインクを露光させる紫外線光（所定波長の紫外線を含む光）を照射するものであり、例えば、アーク放電により点灯する水銀ランプが用いられている。  
【００６３】
楕円反射鏡９ｂは、放電灯９ａから照射された光を所定位置に集光する曲面（楕円回転曲面の一部）を備えるものである。なお、この楕円反射鏡９ｂは、赤外線を透過して基板Ｗ側に照射させない構成であっても構わない。   
【００６４】
光路シャッタ機構９ｃは、光源（放電灯９ａおよび楕円反射鏡９ｂ）側からの光を遮断あるいは通過させるものであり、擬似光源の役割を果すものである。この光路シャッタ機構９ｃは、光路に対面して遮光（遮蔽）する遮光板９ｃ１と、この遮光板９ｃ１を光路または光路から外れた退避位置に移動させる駆動部９ｃ２とを備えている。この光路シャッタ機構９ｃは、基板Ｗの周辺領域Ｗｃを露光するときと、照射光を測定するときに遮光板９ｃ１を光路から退避位置に移動させている。  
【００６５】
フライアイレンズ９ｄは、光の照度分布を整えるものである。このフライアイレンズ９ｄは、複数のレンズがアレー状に整列されたレンズ群、あるいは、当該レンズ群が光軸方向に複数配置されたものである。このフライアイレンズ９ｄは、例えば、光源からの照射光の集光位置に配置されている。  
【００６６】
照射用レンズ９ｅは、フライアイレンズ９ｄを透過して照度分布が整えられた紫外線光を、平行光として基板Ｗの周辺領域Ｗｃに照射するためのものである。この照射用レンズ９ｅは、凸レンズがここでは使用されており、フライアイレンズ９ｄから拡散された状態で送られてくる光を平行光にすることができれば、単レンズあるいは複合レンズのいずれであっても構わない。  
【００６７】
つぎに、図７および図８を参照して、照射領域調整シャッタ機構１０の構成を説明する。図７は、本装置の照射領域調整シャッタ機構の全体を筐体の一部を切欠いて模式的に示す斜視図、図８は本装置の照射領域調整シャッタ機構のＸ直線方向における移
動を行う構成部分を模式的に示す分解斜視図である。  
【００６８】
照射領域調整シャッタ機構１０は、基板Ｗのパターン領域Ｗｐおよび識別マークＭの位置に紫外線光が照射されないように照射口９ｍの開口幅を調整するものである。この照射領域調整シャッタ機構１０は、ここでは、３枚の隠蔽板Ｔ１（パターン領域隠蔽板），Ｔ２（第１識別マーク隠蔽板），Ｔ３（第２識別マーク隠蔽板）と、この隠蔽板Ｔ１，Ｔ２，Ｔ３を所定方向に移動させるように設置された隠蔽板移動手段１０Ａ（第３移動手段），１０Ｂ（第１移動手段），１０Ｃ（第４移動手段）およびＹ方向移動手段１０Ｄ（第２移動手段）と、を備えている。なお、ここでは、照射領域調整シャッタ機構１０は、１枚の隠蔽板Ｔ１をＹ直線方向に移動制御し、かつ、２枚の隠蔽板Ｔ２，Ｔ３をＸ直線方向およびＹ直線方向に移動制御するようにしている。  
【００６９】
隠蔽板移動手段１０Ａは、第１フレーム体１０Ａ１に設けられており、第１フレーム体１０Ａ１に設置された第１駆動モータ１０Ａ２と、この第１駆動モータ１０Ａ２からの回転を伝達する送りネジ１０Ａ３と、この送りネジ１０Ａ３に沿って移動する移動ベース１０Ａ４と、この移動ベース１０Ａ４に固定された後記する第２フレーム体１０Ｂ１をスライドさせるためのスライド機構１０Ａ５と、を備えている。  
【００７０】
第１フレーム体１０Ａ１は、紫外線照射ユニット９の筐体９ｋ内に、その一部を固定させた状態で設置されている。この第１フレーム体１０Ａ１は、送りネジ１０Ａ３に沿って配置された板フレーム１０ａに所定面積の開口が形成されており、移動ベース１０Ａ４が、その開口の範囲において移動できるように構成されている。そして、第１フレーム体１０Ａ１は、第１駆動モータ１０Ａ２を固定して、かつ、送りネジ１０Ａ３を支持するように対面する位置に板フレーム１０ｂ，１０ｃを有している。また、第１フレーム体１０Ａ１は、板フレーム１０ｂ，１０ｃを所定間隔で離間した位置に対面して設置される構成であれば、板フレーム１０ａを設けなくても構わない（例えば、板フレーム１０ａに対面する位置に板フレーム（図示せず）を設ける構成、あるいは、板フレーム１０ｂ、１０ｃを筐体９ｋ側に固定する構成）。   
【００７１】
第１駆動モータ１０Ａ２は、サーボモータ等の回転制御を行うことができるものであり、その構成は限定されるものではない。  送りネジ１０Ａ３は、第１駆動モータ１０Ａ２の回転を伝達できるものであれば、その構成を限定されるものではない。  移動ベース１０Ａ４は、送りネジ１０Ａ３の回転により、当該送りネジ１０Ａ３に沿って移動するように雌ネジが対応する位置に形成されており、後記する第２フレーム体１０Ｂ１を支持するように構成されている。  
【００７２】
スライド機構１０Ａ５は、第１フレーム体１０Ａ１（板フレーム１０ａ）に案内レール１０Ａ６およびこの案内レール１０Ａ６に沿って移動する移動部１０Ａ７と、を備えており、移動部１０Ａ７が後記する第２フレーム体１０Ｂ１側に固定されている。このスライド機構１０Ａ５は、送りネジ１０Ａ３の左右に配置される構成としても構わない。  
【００７３】
以上の構成の隠蔽板移動手段１０Ａは、第１駆動モータ１０Ａ２を駆動させ、送りネジ１０Ａ３を所定数回転させると、移動ベース１０Ａ４が送りネジ１０Ａ３に沿って移動することで、後記する第２フレーム体１０Ｂ１をスライド機構１０Ａ５の案内レールに沿ってＹ直線方向に移動させることができるものである。なお、ここでは、第１フレーム体１０Ａ１により、第２フレーム体１０Ｂ１を懸架してＹ直線方向にスライドさせて所定位置に移動させるように構成している。  
【００７４】
隠蔽板移動手段１０Ｂおよび隠蔽板移動手段１０Ｃは、第２フレーム体１０Ｂ１に設けられており、それぞれ第２駆動モータ１０Ｂ２、第３駆動モータ１０Ｃ２と、送りネジ１０Ｂ３，１０Ｃ３と、この送りネジ１０Ｂ３，１０Ｃ３に沿って移動する移動ベース１０Ｂ４，１０Ｃ４と、この移動ベース１０Ｂ４，１０Ｃ４の移動方向に沿って配置されたスライド機構１０Ｂ５，１０Ｃ５とを備えており、隠蔽板Ｔ２，Ｔ３がスライド機構１０Ｂ５，１０Ｃ５に沿って移動するように設置されている。  
【００７５】
第２フレーム体１０Ｂ１は、前記したように第１フレーム体１０Ａ１にＹ直線方向に自在にスライドできるように懸架されている。このフレーム体１０ｂ１は、第１フレーム体１０Ａ１側に設置した板フレーム１０ｄと、この板フレーム１０ｄの両端側に対面するように設けた板フレーム１０ｅ，１０ｆとを備えている。なお、隠蔽板Ｔ１をＹ直線方向に移動するＹ方向移動手段１０Ｄは、板フレーム１０ｄの所定位置に設けられている。  
【００７６】
第２駆動モータ１０Ｂ２および第３駆動モータ１０Ｃ２は、サーボモータ等の回転制御を行うことができるものであり、その構成は限定されるものではない。  送りネジ１０Ｂ３，１０Ｃ３は、送りネジ１０Ａ３に直交する方向に所定間隔に並列して配置されており、第２駆動モータ１０Ｂ２および第３駆動モータ１０Ｃ２の回転を伝達できるものであれば、その構成を限定されるものではない。  
【００７７】
移動ベース１０Ｂ４，１０Ｃ４は、送りネジ１０Ｂ３，１０Ｃ３の回転により、当該送りネジ１０Ｂ３，１０Ｃ３に沿って移動するベース本体ｂ１，ｃ１と、このベース本体ｂ１，ｃ１に設けられた接続片ｂ２、ｃ２と、を備えている。そして、移動ベース１０Ｂ４，１０Ｃ４は、送りネジ１０Ｂ３，１０Ｃ３に沿って移動するベース本体ｂ１，ｃ１の所定位置に雌ネジが形成されており、ここでは、接続片ｂ２，ｃ２は、当該ベース本体ｂ１，ｃ１の上端と下端にそれぞれ配置され、送りネジ１０Ｂ３，１０Ｃ３に沿って移動するときに接続片ｂ２，ｃ２が互いに交差して移動できるように構成されている。  
【００７８】
スライド機構１０Ｂ５，１０Ｃ５は、送りネジ１０Ｂ３，１０Ｃ３と平行に配置された案内レール１０Ｂ６，１０Ｃ６と、この案内レール１０Ｂ６，１０Ｃ６に沿って移動する 移動部１０Ｂ７，１０Ｃ７とを有している。このスライド機構１０Ｂ５，１０Ｃ５は、案内レール１０Ｂ６，１０Ｃ６を段違いに配置しており、接続片ｂ２，ｃ２の先端に、案内レール１０Ｂ６，１０Ｃ６上をスライドする移動部１０Ｂ７，１０Ｃ７が接続されている。なお、移動部１０Ｂ７，１０Ｃ７には、隠蔽板Ｔ２，Ｔ３が着脱自在に取り付けられている。  
【００７９】
また、隠蔽板Ｔ２、Ｔ３の配置されている側となる第２フレーム体１０Ｂ１の位置（板フレーム１０ｄ）には、Ｙ方向移動手段１０Ｄを介して隠蔽板Ｔ１が設けられている。このＹ方向移動手段１０Ｄは、サーボモータ等の回転制御を行うことができる第４駆動モータ１０Ｄ２と、この第４駆動モータ１０Ｄ２の回転を伝達させる送りネジ１０Ｄ３と、この送りネジ１０Ｄ３に沿って移動する移動部１０Ｄ４とを主に備え、隠蔽板Ｔ１を照射口９ｍに対して平行に移動できるように構成されている。なお、移動部１０Ｄ４には隠蔽板Ｔ１が着脱自在に取り付けられている。  
【００８０】
隠蔽板Ｔ１は、ここでは、紫外線光が照射しても軟化あるいは劣化し難い金属板により形成されるとともに、照射口９ｍの開口幅より広い面積になるように形成されている。また、隠蔽板Ｔ２，Ｔ３は、先端側に隠蔽部ｔ２ａ，ｔ３ａが形成されており、その隠蔽部ｔ２ａ，ｔ３ａに連続して開口部ｔ２ｂ、ｔ３ｂが形成されている。この隠蔽板Ｔ２，Ｔ３は、照射口９ｍの開口幅より狭い幅で、かつ、同じ大きさに形成されており、露光される識別マークＭの大きさに対応して予め設定された寸法に隠蔽部ｔ２ａ，ｔ３ｂが形成されている。なお、識別マークＭの大きさがいろいろ異なる場合には、隠蔽板Ｔ２，Ｔ３は同じ大きさに形成されている必要がなく、識別マークＭに合わせて適宜変更してよい。また、図７に示すように、隠蔽板Ｔ２，Ｔ３は、隠蔽部ｔ２ａ，ｔ３ａを開口部ｔ２ｂ，ｔ３ｂを介して支えるときに、なるべく隠蔽部ｔ２ａ，ｔ３ａの位置以外では光を遮蔽したくないことと、高速で移動させることに耐えられるように、開口部ｔ２ｂ，ｔ３ｂに亘って細線状の支持線部ｔ２ｃ（ｔ３ｃ）を設ける構成にすると都合がよい。隠蔽部ｔ２ａ，ｔ３ａは、移動したときに水平状態が維持されれば、この細線状の支持線部ｔ２ｃ（ｔ３ｃ）の複数のみで支持する構成としても構わない。なお、隠蔽板Ｔ１，Ｔ２，Ｔ３は、ここでは、異なる高さにそれぞれは位置されており、交差して移動することができるように構成されている。  
【００８１】
以上のように構成された照射領域調整シャッタ機構１０は、隠蔽板移動手段１０Ｂおよび隠蔽板移動手段１０ＣならびにＹ方向移動手段１０Ｄが、以下のように動作する。  すなわち、第２駆動モータ１０Ｂ２および第３駆動モータ１０Ｃ２の駆動により送りネジ１０Ｂ３，１０Ｃ３を回転させることで移動ベース１０Ｂ４，１０Ｃ４を移動させスライド機構１０Ｂ５，１０Ｃ５に沿って隠蔽板Ｔ２、Ｔ３を、照射口９ｍを横切るように移動させる。隠蔽板Ｔ２，Ｔ３の移動は、基板Ｗと同じ速度で同じ方向に移動させ、照射口９ｍを横切ったとき、所定のタイミングで、今まで移動した方向とは反対方向に高速で移動させて照射口９ｍを横切るようにする。なお、Ｙ直線方向における隠蔽板Ｔ２、Ｔ３の位置決めは、隠蔽板移動手段１０Ａにより、第２フレーム体Ｂ１を移動させることにより行っている。また、隠蔽板Ｔ１は、基板Ｗの周辺領域Ｗｃに識別マークが形成されていない場合か、あるいは、移動機構１２による移動により照射口９ｍの一端辺側を位置調整して、かつ、照射口９ｍの他端辺側に紫外線光を照射したくない領域がある場合に当該隠蔽板Ｔ１が使用される。  
【００８２】
つぎに、図９を参照して、照射面積調整シャッタ機構１３について説明する。図９は、本装置の照射面積調整シャッタ機構を筐体の一部を切り欠いて模式的に示す断面図である。図９に示すように、照射面積調整シャッタ機構１３は、照射光の照射面積を変更するためのものである。この照射面積調整シャッタ機構１３は、照射用レンズ９ｅを支持する支持体９ｆ側に対面して配置した同じ構成のシャッタ機構１３Ａ，１３Ａが設置されている。そして、シャッタ機構１３Ａは、照射用レンズ９ｅから照射される照射光の幅を調整する幅調整遮光板１３ａと、この幅調整遮光板１３ａを直線的に移動させる幅調整遮光板移動部１３ｂと、この幅調整遮光板移動部１３ｂの駆動力を伝達する送りネジ１３ｃと、この送りネジ１３ｃおよび幅調整遮光板移動部１３ｂを支持して支持体９ｆに固定するフレーム１３ｄと、を備えている。  
【００８３】
この照射面積調整シャッタ機構１３は、基板Ｗの移動速度に対応して照射面積が適正な状態となるように、予め制御機構２０からの制御により幅調整遮光板１３ａ，１３ａを移動させる。つまり、一辺側の幅調整遮光板１３と他辺側の幅調整遮光板１３ａとの空間幅を調整する。例えば、レーザビームによって識別マークＭを露光する照射時間相当の移動速度が、紫外線光により周辺領域Ｗｃを露光するときの基準となる移動速度より遅く、過剰露光となる場合には照射面積を基準より小さくする。すなわち、照射面積調整シャッタ機構１３は、照射口９ｍの一辺側あるいは一辺側と他辺側の幅調整遮光板１３ａ，１３ａで覆う面積を多くして、基板Ｗの周辺領域Ｗｃに照射される照射面積を狭くし、基板の移動速度においてトータルの時間で周辺領域Ｗｃの単位面積当たりに紫外線光を照射する総合の照射エネルギーが基準で設定された値と等しくなるように、制御できるように設定されている。  なお、調整遮光板１３ａ，１３ａの基準位置は、例えば、照射口９ｍの一辺側あるいは一辺側と他辺側から一部を覆う位置とすることで、照射面積を大きくあるいは小さく調整することができる。  また、照射面積調整シャッタ機構１３は、どちらか一方のシャッタ機構１３Ａを備える構成としても構わない。照射面積調整シャッタ機構１３は、後記する制御機構２０により基板Ｗの移動速度が設定されたときに当該制御機構２０からの信号により照射面積が決定される。この照射面積の決定を行う具体的な動作については後記する。  
【００８４】
つぎに、紫外線光の計測器１１について説明する。図１に示すように、計測器１１は、紫外線照射ユニットから照射される紫外線光の照度を計測するものである。この計測器１１は、照度計測部１１ａと、この照度計測部１１ａを照射光路上となる計測位置、および、退避位置に移動させる照度計測部移動機構１１ｂとを備えている。そして、計測器１１は、計測した計測結果を後記する制御機構２０に送っている。この計測器１１により計測した計測結果は、紫外線照射ユニットの放電灯９ａに印加する電圧あるいは電流を調整することで、照射光を調整するために反映される。計測器１１は、例えば、基板Ｗの周辺領域Ｗｃに対する露光作業が終了したときに、制御機構２０からの信号により計測作業を行い、照射光の計測およびその結果による放電灯９ａの調整が行われて動作するようにここでは構成されている。  
【００８５】
図１０を参照して、制御機構２０の構成を説明する。図１０は本装置の制御機構を示すブロック図である。制御機構２０は、図１０に示すように、入力手段２１と、カメラ駆動制御手段２２と、画像データ入力手段２３と、位置検出手段２４と、整合手段２５と、基板位置演算手段２６と、移動搬送機構駆動制御手段２７と、レーザビーム照射駆動制御手段２８と、紫外線照射駆動制御手段２９と、計測手段３０と、記憶手段３１と、を備えている。  
【００８６】
入力手段２１は、基板Ｗの品種データ等を入力するためのものである。この入力手段２１は、キーボード、スキャナ、マウス等のデータを入力することができるものであれば、特にその構成を限定されるものではない。  
【００８７】
なお、ここで入力される品種データは、基板Ｗのサイズ、パターン領域Ｗｐのサイズおよび位置、周辺領域Ｗｃのサイズおよび位置、識別マーク（文字、記号、図形等）の種類、サイズ、露光位置、露光照度および露光速度、周辺領域Ｗｃ（一方の直線方向と、他方の直線方向）の露光照度（レーザビームおよび紫外線光）等であり、予め入力手段２１から入力されて記憶手段３１に記憶されている。また、本装置１において、レーザビームユニット５の露光速度、露光照度、あるいは、紫外線照射ユニット９の単位面積あたりの露光照度等、周辺露光作業に必要となるデータは入力手段２１から予め入力され記憶手段３１に記憶されている。  
【００８８】
カメラ駆動制御手段２２は、撮像手段４を駆動制御するためのものであり、基板Ｗがステージ２に搬入されて保持されることでセンサ等（図示せず）により生じる始動信号、および、位置検出手段２４の信号により、撮像手段４を移動制御している。  
【００８９】
画像データ入力手段２３は、撮像手段４により撮像された画像データを入力するためのものであり、入力した画像データを位置検出手段２４に出力している。  
【００９０】
位置検出手段２４は、画像データ入力手段２３から送られて来る画像データを解析して位置データとし、基板位置およびステージ位置とを検出するものである。この位置検出手段２４により検出された基板位置およびステージ位置の位置データは、整合手段２５に出力されるとともに、検出が終了したことを示す信号をカメラ駆動制御手段２２に出力している。  
【００９１】
整合手段２５は、位置検出手段２４から送られて来た基板位置データおよびステージ位置データに基づいて、移動搬送機構３をどれだけ整合移動すればよいかを演算するため、演算した整合位置データを移動搬送機構駆動制御手段２７に出力している。  
【００９２】
基板位置演算手段２６は、整合手段２５から送られてきた基板Ｗの整合位置データと、記憶手段３１に記憶されている基板Ｗの品種データとに基づいて、基板Ｗのレーザビーム照射開始位置、紫外線照射開始位置、移動速度、基板の９０度回転移動位置、９０度回転移動後における移動速度、レーザビーム照射開始位置、紫外線照射開始位置等を演算するものである。  
【００９３】
例えば、基板位置演算手段２６は、基板Ｗの品種データである基板サイズ、パターン領域サイズ、周辺領域サイズ、識別マークのサイズ、識別マークの位置を示す各データと、基板Ｗの整合位置データとにより基板Ｗをレーザビームユニット５においてレーザビーム照射開始位置を演算している。また、基板位置演算手段２６は、基板Ｗの移動速度を、識別マークのサイズと、識別マークの露光照度とにより演算している。この基板位置演算手段２６で演算された結果は、移動搬送機構駆動制御手段２７に出力されている。  
【００９４】
また、基板位置演算手段２６は、移動搬送機構駆動制御手段２７から送られてくる基板位置データを反映させて、前記した各位置および移動速度等を演算している。  
【００９５】
移動搬送機構駆動制御手段２７は、整合手段２５または基板位置演算手段２６から送られて来る各データに基づいて、移動搬送機構３を駆動制御する。この移動搬送機構駆動制御手段２７は、移動搬送機構３を駆動制御した結果、レーザビームを照射するタイミング及び紫外線を照射するタイミング、シャッタ機構１０を制御するタイミング等を示す移動指示データをレーザビーム照射駆動制御手段２８および紫外線照射駆動制御手段２９に送っている。  
【００９６】
レーザビーム照射駆動制御手段２８は、記憶手段３１に予め記憶されている基板Ｗの品種データと、移動搬送機構駆動制御手段２７から送られてくる基板Ｗの位置データに基づいて、レーザビームユニット５を駆動制御する。このレーザビーム照射駆動制御手段２８は、レーザビームの照射を終了することを示す照射停止信号をレーザビームユニット７に出力するとともに、計測手段３０から送られて来る計測結果データに基づいて、レーザビームユニット７を調整する。なお、レーザビーム照射駆動制御手段２８は、計測結果データに基づいて、具体的には、レーザビームユニット７のレーザビーム光源５ａ，音響光学素子７ａあるいはビームエキスパンダ８ｃをそれぞれ予め設定されたレーザビームの状態（照度、照射面積等）になるように適宜調整することも行っている。  
【００９７】
紫外線照射駆動制御手段２９は、記憶手段に予め記憶されている基板Ｗの品種データと、移動搬送機構駆動制御手段２７から送られてくる基板Ｗの位置データに基づいて、紫外線照射ユニット９（照射領域調整シャッタ機構１０および照射面積調整シャッタ機構１３を含む）を駆動制御するものである。この紫外線照射駆動制御手段２９は、紫外線光の照射を停止する（光路シャッタ機構による光路の遮断）照射停止信号を紫外線照射ユニット９に出力するとともに，計測手段３０から送られて来る計測結果データに基づいて、紫外線照射ユニット９を調整する。なお、紫外線照射駆動制御手段２９は、計測結果データに基づいて、放電灯９ａの入力電圧あるいは入力電流を調整することで予め設定された光照度の状態に調整する。  
【００９８】
計測手段３０は、光路長調整ユニット６、レーザビーム測定調整機構８および計測器１１からの計測データをレーザビーム照射駆動制御手段２８と紫外線照射駆動制御手段２９に出力するものである。  
【００９９】
また、記憶手段３１は、基板Ｗの品種データを記憶するためのものであり、ハードディスク等のデータを記憶することができるものであれば、その構成を限定されるものではない。  
【０１００】
つぎに、本装置１の動作について、図１１、図１２、図１３を主として適宜図１から図１０を参照して説明する。なお、図１１は、レーザビーム・紫外線照射周辺露光装置の動作を示すフローチャート、図１２は基板の端部側における周辺領域を所定波長の紫外線を含む光で露光している状態を模式的に示す斜視図、図１３は、基板の中央側における周辺領域を所定波長の紫外線を含む光で露光している状態を模式的に示す斜視図である。ここで示す図１３では、分かりやすいように、隠蔽板Ｔ１の上下方向における位置が、隠蔽板Ｔ２，Ｔ３より下に示して説明するが、実際の構成は、図７および図８に示すように、隠蔽板Ｔ１が隠蔽板Ｔ２，Ｔ３より上に配置されている。  
【０１０１】
図１１に示すように、本装置１は、はじめに、図示しないハンドラ等により基板の底面を吸着保持された状態でステージ２に基板Ｗがステージ２上に搬入される（Ｓ１）。そして、ステージ２に基板Ｗが搬入されると、支持柱２ｂの先端に形成されている吸着用開口部２ｃにより基板Ｗが吸着されることでステージ２に基板Ｗが保持される（搬入ステップＳ２）。なお、ここでは、基板Ｗの搬入が行われるときには、移動搬送機構３は、その第２移動ガイド機構３ＢによりＹ直線方向にステージ２を移動させて基板Ｗを受取りに行くようにしている。  
【０１０２】
ステージ２に基板Ｗが保持されると、始動信号が制御機構２０のカメラ駆動制御手段２２に送られ撮像手段４を予め設定された基準位置に移動させるとともに、移動搬送機構３を基準位置に移動させ、撮像手段４によりステージ２の位置決めマーク２ｄを撮影するとともに、基板Ｗの予め設定された位置に撮像手段４を移動させ、例えば、基板エッジ部分（あるいはアライメントマーク（図示せず））を撮影して、画像データを制御機構２０に画像データ入力手段２３により入力するとともに、位置検出手段２４により、入力された画像データを解析して基板位置およびステージ位置を検出する（検出ステップＳ３）。  
【０１０３】
基板Ｗおよびステージ２の位置が検出されると、それぞれの位置に基づいてステージ２を整合移動して整合手段２５、移動搬送機構駆動制御手段２７等を介して移動搬送機構３を作動させ整合作業が行われる（整合ステップＳ４）。この整合作業では、基板Ｗのθ方向における整合移動を行っており、その後、基板ＷをＸ直線方向およびＹ直線方向に移動したときにレーザビームの照射および紫外線光の照射が行うことができる相対的な位置に基板Ｗを整合移動させている。  
【０１０４】
そして、制御機構２０の整合手段２５は、整合された基板Ｗの整合位置を基板位置演算手段２６に出力するとともに、移動搬送機構駆動制御手段２７に出力している。基板位置演算手段２６では、送られて来た基板Ｗの整合位置データと、記憶手段３１に記憶されている基板Ｗの品種データに基づいて、基板Ｗのレーザビーム照射における移動位置（レーザビーム照射開始位置）および移動速度を演算する（演算ステップＳ５）。このとき、後記する基板Ｗを９０度回転移動したときの移動位置および移動速度についても演算している。  
【０１０５】
基板Ｗの移動位置および移動速度が演算されると、移動搬送機構駆動制御手段２７により移動搬送機構の第１移動ガイド機構３Ａ（あるいは第２移動ガイド機構３Ｂ）を介して、Ｘ直線方向（あるいはＹ直線方向）に基板Ｗを保持したステージ２を移動させ、レーザビームユニット５の直下における所定位置（例えば基板Ｗの周辺領域Ｗｃにおける識別マークの先頭位置）に搬送する（Ｓ６）。基板Ｗが所定位置に搬送されると、基板Ｗを所定速度で移動させるとともに、レーザビームユニット５を作動させ、各レーザビームヘッド５Ａ,５Ａ、５Ａからレーザビームを照射して識別マークを順次露光していく（レーザビーム照射ステップＳ７）。  
【０１０６】
レーザビームを照射する際には、基板Ｗを移動させる移動搬送機構３の移動速度と、レーザビームによる露光を行う露光スピードとを同期させて行うようにしている。つまり、音響光学素子７ａ（ＡＯＭ）とガルバノミラユニット７ｃ（ガルバノミラー）とを同期させ、ＡＯＭが高速シャッタからの１次光を回折してマーキング光を確保することで、高速露光を可能にしている。そのため、レーザビームの照射を行っているときに基板Ｗを停止することなく所定の速度で移動させることができる。  
【０１０７】
このとき、本装置１は、紫外線照射ユニット９側では、制御機構２０により、記憶手段３１に記憶されている基板Ｗの品種データと、移動搬送機構駆動制御手段２７から送られる基板Ｗの位置データに基づいて、移動機構１２を介して筐体９ｋをＹ直線方向に移動させ、照射口９ｍの一端辺側が、基板Ｗのパターン領域Ｗｐを隠蔽して周辺領域Ｗｃ側に光照射できる位置に位置合わせされて調整される（Ｓ８）（図１２（ａ）参照）。
それとともに、制御機構２０は、基板Ｗの周辺領域Ｗｃに識別マークＭ１がレーザビームの照射により露光されて紫外線照射ユニット９側に送られて来たときに、紫外線光の照射場所が、基板Ｗの両側における周辺領域Ｗｃである場合には、照射領域調整シャッタ機構１０の隠蔽板Ｔ１を使用せずに、隠蔽板Ｔ２、Ｔ３を使用するように照射領域調整シャッタ機構１０を制御して周辺露光を行う準備をする。そして、実際に基板Ｗが紫外線照射ユニット９の紫外線光の照射開始位置に到達したときに、光路シャッタ機構９ｃを動作させ、紫外線光を基板Ｗの周辺領域Ｗｃに隠蔽板Ｔ１，Ｔ２，Ｔ３のいずれかを使用して紫外線光を照射する（紫外線照射ステップＳ１０）。  
【０１０８】
基板ＷのＸ直線方向における識別マークＭ１およびその周辺領域Ｗｃが露光されると、基板Ｗは、Ｘ直線方向（一方の直線方法）と、Ｙ直線方向（他方の直線方向）と、の両方の周辺領域Ｗｃが露光終了したかを判定して（Ｓ１１）（例えば、第３移動ガイド機構３Ｃの基板Ｗ一枚に対する作動状態により）「Ｎｏ」であるときには、Ｘ直線方向における移動終端あるいは整合作業を行った移動始端まで一旦もどされて、その移動終端あるいは移動始端のいずれかにおいて、移動搬送機構３の第３移動ガイド機構３Ｃにより、ステージ２を９０度回転させ、基板Ｗを９０度回転移動させる（Ｓ１２）。そして、前記したよ うに、ステップ６（Ｓ６）からステップ１０（Ｓ１０）までの作業を同様に行うことで基板Ｗの周辺領域Ｗｃにおいて識別マークＭ２を露光するとともに、残りの周辺領域Ｗｃを露光することで基板Ｗの全ての周辺領域Ｗｃについての周辺露光を終了する。  
【０１０９】
基板Ｗの周辺露光が終了すると、基板Ｗは、基板Ｗの移動終端側に形成した搬出口側（図示せず）から、あるいは、基板Ｗを搬入した搬入口側からロボットハンド（図示せず）により搬出される（Ｓ１３）。そして、新たな基板Ｗが搬入され、前記した各ステップＳ１〜Ｓ１３を繰り返すことで、適宜基板Ｗの周辺露光作業を行う。  
【０１１０】
ここで、ステージ２の移動速度について説明する。  制御機構２０の移動搬送機構駆動制御手段２７は、あらかじめ設定された照射エネルギー基づいて基板Ｗの移動速度を決定する。しかし、識別マークＭの領域が大きかったり、レジストインクの必要露光量が大きかったりすると、レーザビームユニット５によるマーキングに時間がかかることがある。このような場合には、移動搬送機構駆動制御手段２７は、レーザビームユニット５のマーキングに必要な時間を計算して、基板Ｗの移動速度Ｓａを決定する。一方、基板Ｗの移動速度Ｓａでは、紫外線照射ユニット９における周辺露光が過剰露光になってしまう場合がある。このため、紫外線照射駆動制御手段２９は、基板Ｗの移動速度Ｓａを移動搬送機構駆動制御手段２７から受け取る。そして、照射領域調整シャッタ機構１０は、幅調整遮光板１３ａの位置を調整する。  逆に、紫外線に対するレジストインクの必要露光量の関係で、移動搬送機構駆動制御手段２７は、紫外線照射ユニット９における露光時の基板Ｗの移動速度Ｓｂを決定することもある。この場合には、レーザビーム照射駆動制御手段２８は、基板Ｗの移動速度Ｓｂを移動搬送機構駆動制御手段２７から受け取る。そして、レーザビームユニット５は、移動速度Ｓｂに合わせたレーザビームの強度を決定する。  
【０１１１】
たとえば、移動搬送機構駆動制御手段２７から送られて来た信号が移動速度Ｓａであった場合は、その移動速度Ｓａに対応して照射面積調整シャッタ機構１３の照射面積を、紫外線照射駆動制御手段２９を介して制御する。すなわち、移動速度Ｓａに対して照射面積がどれだけあれば適正な露光状態となるのかを、紫外線照射駆動制御手段２９は、例えば、予め設定されている演算式の中に移動速度Ｓａを代入することで、照射面積を演算しその演算結果から幅調整遮光板１３ａの移動量（移動位置）を求め、幅調整遮光板移動部１３ｂを制御している。  
【０１１２】
また、移動搬送機構駆動制御手段２７から送られて来た信号が移動速度Ｓｂであった場合は、レーザビーム照射駆動制御手段２８は、レーザビーム光源５ａへ励起光量を変えることによってレーザビーム強度を変更したり、またはレーザビームの繰り返し周波数を変えることによってレーザビームの積算強度を変更したり、音響光学素子７ａの変調によりレーザビーム強度を変えて、移動速度Ｓｂに対応することができる。さらに、その移動速度Ｓｂに対応してガルバノミラユニット７ｃにおけるレーザビームの反射方向を、移動速度Ｓｂに対応するように、レーザビーム照射駆動制御手段２８を介して制御している。  このようにして、レーザビーム照射駆動制御手段２８と、紫外線照射駆動制御手段２９とは、基板Ｗの移動速度に対応して動作するように構成されている。なお、移動速度Ｓａと移動速度Ｓｂが同じ場合には、それぞれのユニット５，９において、基準として設定されている動作により露光作業が行われるように制御される。  
【０１１３】
つぎに、具体的に基板Ｗの周辺領域Ｗｃを露光する場合について、図１２および図１３を参照してさらに説明する。すなわち、図１２（ａ）、（ｂ）に示すように、照射領域調整シャッタ機構１０は、隠蔽板Ｔ２を隠蔽板移動手段１０ＡによりＹ直線方向にスライド機構１０Ａ５を介して位置合わせを行い、隠蔽板Ｔ２の隠蔽部ｔ２ａの位置を、識別マークＭ１の位置に重なり光を遮光する位置とする。なお、ここでは、隠蔽部ｔ２ａは、識別マークＭ１，Ｍ２と同じ面積となるものが予め取り付けられている。紫外線照射ユニット９は、基板Ｗの周辺領域Ｗｃが照射口９ｍに近づいたら、光路シャッタ機構９ｃを作動させ遮光板９ｃ１を光路から退避するように移動させることで、放電灯９ａ側からの紫外線光を周辺領域Ｗｃに照射している。  
【０１１４】
そして、識別マークＭ１の位置が基板Ｗの移動とともに送られてくると、その識別マークの位置に重なっている隠蔽板Ｔ２の隠蔽部ｔ２ａが、基板Ｗの移動速度と同期した速度で照射口９ｍを横切るように移動し、識別マークＭ１を隠蔽した状態で、残りの周辺領域Ｗｃに紫外線光が照射されて周辺露光を行っている。  
【０１１５】
また、図１２（ｃ）に示すように、基板Ｗの周辺領域Ｗｃにおいて、つぎの識別マークＭ１が照射口９ｍに連続しているときのために、隠蔽板Ｔ３が隠蔽板Ｔ２と同様に識別マークＭ１と重なる位置として、基板Ｗの移動速度と同期させて移動することで、つぎの識別マークＭ１を隠蔽した状態で、残りの周辺領域Ｗｃに紫外線光を照射して周辺露光を行っている。  
【０１１６】
さらに、図１２（ｄ）に示すように、すでに一度、照射口９ｍを横切って識別マークＭ１を隠蔽した隠蔽板Ｔ２は、所定のタイミングで基板Ｗの移動方向とは反対方向で照射口９ｍを再び横切るように高速で移動させる。なお、このとき、基板Ｗの周辺領域Ｗｃの露光作業が行われているが、照射口９ｍを横切るときに高速で移動させることから、周辺領域Ｗｃに対する露光作業の妨げになることはない。そして、隠蔽板Ｔ２は、先ほどと同じように、３つめの識別マークＭ１に重なる位置に位置決めされ、基板Ｗと同じ移動速度で照射口９ｍを横切るように移動することで、識別マークＭ１を隠蔽して他の周辺領域Ｗｃを露光することができる。  
【０１１７】
このように、照射領域調整シャッタ機構１０は、隠蔽板Ｔ２，Ｔ３により識別マークを隠蔽（遮光）するときには、基板Ｗと同じ移動速度で移動して照射口９ｍを横切り、つぎの識別マークに対応するときには、基板Ｗの移動方向とは反対方向に高速で照射口９ｍを横切るように移動することを繰り返し行うことで、識別マークＭ１（Ｍ２）の数が増えても対応することが可能となる。  
【０１１８】
また、図１３（ａ）〜（ｄ）に示すように、基板Ｗの周辺領域Ｗｃの両側にパターン領域が存在する場合には隠蔽板Ｔ１を、隠蔽板Ｔ２，Ｔ３と合わせて使用することで対応している。  
【０１１９】
図１３（ａ）に示すように、はじめに、移動機構１２を介して筐体９ｋをＹ直線方向に移動させ、照射口９ｍの一端が、基板Ｗのパターン領域Ｗｐを隠蔽できる位置に調整する。そして、隠蔽板Ｔ１を使用するときには、第２フレーム体１０Ｂ１をスライド機構１０Ａ５に沿って所定位置に移動させ、隠蔽板Ｔ２，Ｔ３のＹ直線方向の位置決めを行う。さらに、Ｙ方向移動手段１０Ｄを介して、隠蔽板Ｔ１をＹ直線方向に移動させてパターン領域Ｗｐが隠蔽できる位置まで送り出し、周辺領域Ｗｃの反対側のパターン領域Ｗｐに光照射できないように照射口９ｍのＹ直線方向における所定幅を遮光する。  
【０１２０】
そして、照射口９ｍの照射面積を隠蔽板Ｔ１で狭めた状態において、隠蔽板Ｔ２，Ｔ３を使用して、図１２（ｂ）〜（ｄ）ですでに説明したようにして、識別マークＭ１を遮蔽しながら周辺領域Ｗｃを露光することで、周辺領域Ｗｃの両側にパターン領域Ｗｐが配置された状態の周辺露光を行っている。なお、照射領域調整シャッタ機構１０の制御は、制御機構２０の紫外線照射駆動制御手段２９により、基板Ｗの品種データおよび基板Ｗの位置データに基づいて、適宜行われている。  
【０１２１】
基板ＷのＸ直線方向における識別マークＭ１およびその周辺領域Ｗｃが露光されると、基板Ｗは、Ｘ直線方向（一方の直線方法）と、Ｙ直線方向（他方の直線方向）と、の両方の周辺領域Ｗｃが露光終了したかを判定して（Ｓ１１）（例えば、第３移動ガイド機構３Ｃの基板Ｗ一枚に対する作動状態により）「Ｎｏ」であるときには、Ｘ直線方向における移動終端あるいは整合作業を行った移動始端まで一旦もどされて、その移動終端あるいは移動始端のいずれかにおいて、移動搬送機構３の第３移動ガイド機構３Ｃにより、ステージ２を９０度回転させ、基板Ｗを９０度回転移動させる。そして、前記したように、ステ ップ６（Ｓ６）からステップ１０（Ｓ１０）までの作業を同様に行うことで基板Ｗの周辺領域Ｗｃにおいて識別マークＭ２を露光するとともに、残りの周辺領域Ｗｃを露光することで基板Ｗの全ての周辺領域Ｗｃについての周辺露光を終了する。  
【０１２２】
基板Ｗの周辺露光が終了すると、基板Ｗは、基板Ｗの移動終端側に形成した搬出口側（図示せず）から、あるいは、基板Ｗを搬入した搬入口側からロボットハンド（図示せず）により搬出される。  
【０１２３】
なお、基板Ｗの種類によっては、図３で示す基板Ｗの真ん中の周辺領域Ｗｃに識別マークが形成されないものもあり、その場合には、図１３において、隠蔽板Ｔ１のみによりＹ直線方向における照射口９ｍの光の遮蔽を行うことで周辺露光を終了することができる。  
【０１２４】
なお、基板Ｗの種類によっては、９０度回転させたときに、図３に示すような、識別マークＷ２がない状態のものがある。そのような識別マークＭ２がない基板Ｗでは、レーザビームを使用することなく、紫外線照射ユニット９側の紫外線光の照射のみでよいため、移動機構１２による筐体９ｋの位置合わせと、照射領域調整シャッタ機構１０の隠蔽板１の位置合わせとにより、紫外線光の露光作業を行うことができる。そのため、基板Ｗの移動速度が基板Ｗのはじめの状態と変えて行うように、制御機構２０が基板Ｗの品種データにより制御している。このように、識別マークＭ２がない状態であるため、９０度回転したときの基板Ｗの移動速度は、照射口９ｍにおいて、照射面積調整シャッタ機構１３による照射面積が最大になる状態において設定され、露光作業の効率が上がるように設定されている。  
【０１２５】
また、本装置１においては、紫外線照射ユニット９は、基板Ｗの周辺領域Ｗｃにおける周辺露光が終了して、つぎの基板Ｗが搬送される前に、計測器１１により照度が計測されている。  本装置１は、計測器１１の照度計測部移動機構１１ｂにより照度計測部１１ａを退避位置から測定位置に移動させ、照射口９ｍの直下に位置させる。そして、本装置１は、光路シャッタ機構９ｃの遮光板９ｃ１を作動させ照射口９ｍから照度計測部１１ａに光照射を行い光の照度を測定している。そして、測定した測定結果は、制御機構２０の計測手段３０から紫外線照射駆動制御手段２９に送られ、
放電灯９ａに対する電流あるいは電圧の調整が行われ照度が調整される。  
【０１２６】
本装置１は、レーザビームユニット５においても、基板Ｗがレーザビームを照射する位置にないときに、レーザビームの状態を、ＣＣＤ撮像素子６ｂおよびパワーメータ６ｃ、あるいは、パワーメータ８ａおよびＣＣＤ撮像素子８ｂにより行っており、例えば、レーザビーム光源５ａの調整、音響光学素子７ａの調整、あるいは、ビームエキスパンダ８ｃの調整のいずれか一つ以上を行うことで、レーザビームを常に適正な状態に維持している。  
【０１２７】
なお、本装置１は、図１４に示すように、レーザビームユニット５の代わりにレーザビームユニット１５の構成としても構わない。図１４はレーザビームユニットの他の構成を模式的に示す側面図である。なお、光路長調整ユニット６の構成においては図５で示すものと変わらないため、説明を省略する。  
【０１２８】
レーザビームユニット１５のレーザ照射ユニット１７（ここでは３基）は、それぞれ同じ構成に形成されており、光路長調整ユニット６から光ファイバ１５ａを介してレーザビームが送られてくるように構成されている。  
【０１２９】
レーザ照射ユニット１７は、光ファイバ１５ａからのレーザビームを所定方向に反射す る反射鏡１７ａと、この反射鏡１７ａにより反射されたレーザビームを所定のレーザビーム径として反射するデジタルマイクロミラーディバイス１７ｂと、このデジタルマイクロミラーディバイス１７ｂから反射されたレーザビームを所定のビーム径にして基板Ｗの周辺領域Ｗｃに照射するためのビーム照射用レンズ１７ｃ、１７ｄとを備えている。  
【０１３０】
なお、デジタルマイクロミラーディバイス１７ｂは、レーザビームを反射する微小なミラー１７ｂ１と、このミラー１７ｂ１を一端側で支持するトーションピン１７ｂ２と、このトーションピン１７ｂ２の他端側に設けたヨーク１７ｂ３等を備え、トーションピン１７ｂ２支軸により所定角度（例えば、プラス１２度およびマイナス１２度）に傾斜できるように構成されているため、ヨーク１７ｂ３に流れる電流の状態で、トーションピン１７ｂ２がミラー１７ｂ１を所定角度に傾斜させることで、反射光の方向を制御するものである。  
【０１３１】
このデジタルマイクロミラーディバイス１７ｂを用いることで、レーザ照射ユニット１７は、レーザビームにより所望の識別マークＭを基板Ｗの周辺領域Ｗｃに照射して露光することができるものである。  
【０１３２】
以上説明したように、本装置１は、各構成において同じ機能を発揮できる状態であれば、その設置位置等が変更されていても構わない。例えば、照射面積調整シャッタ機構１３は、筐体９ｋの照射口９ｍの外側に設置され、その照射口９の下側から遮光する構成としても構わない。また、紫外線照射ユニット９の数は、１つ、あるいは、３つ、４つとしても構わない。さらに、レーザビームユニット９のレーザ照射ユニット７は、３つ以上としてもよく、レーザビーム光源５ａは、複数として、レーザ照射ユニット７を３つ以上としても構わない。
【図面の簡単な説明】
【０１３３】
【図１】本発明に係るレーザビーム・紫外線照射周辺露光装置の一部を省略して側面方向から装置内を模式的に示す断面図である。
【図２】本発明に係るレーザビーム・紫外線照射周辺露光装置の一部を省略して背面方向からの装置内を模式的に示す断面図である。
【図３】（ａ）、（ｂ）は、本発明に係るレーザビーム・紫外線照射周辺露光装置で使用される基板の一例を示す平面図である。
【図４】本発明に係るレーザビーム・紫外線照射周辺露光装置のステージを示す斜視図である。
【図５】本発明に係るレーザビーム・紫外線照射周辺露光装置のレーザビームユニットの構成を模式的に示す模式図である。
【図６】本発明に係るレーザビーム・紫外線照射周辺露光装置の紫外線照射ユニットの構成を、一部を切欠いて示す断面図である。
【図７】本発明に係るレーザビーム・紫外線照射周辺露光装置の照射領域調整シャッタ機構の全体を筐体の一部を切り欠いて模式的に示す斜視図である。
【図８】本発明に係るレーザビーム・紫外線照射周辺露光装置の照射領域調整シャッタ機構のＸ直線方向における移動を行う構成部分を模式的に示す分解斜視図である。
【図９】本発明に係るレーザビーム・紫外線照射周辺露光装置の照射面積調整シャッタ機構を筐体の一部を切り欠いて模式的に示す断面図
【図１０】本発明に係るレーザビーム・紫外線照射周辺露光装置の制御機構を示すブロック図である。
【図１１】本発明に係るレーザビーム・紫外線照射周辺露光装置の動作の流れを示すフローチャートである。
【図１２】（ａ）〜（ｄ）は、本発明に係るレーザビーム・紫外線照射周辺露光装置の周辺露光作業の状態を模式的に示す斜視図である。
【図１３】（ａ）〜（ｄ）は、本発明に係るレーザビーム・紫外線照射周辺露光装置の周辺露光作業の状態を模式的に示す斜視図である。
【図１４】本発明に係るレーザビーム・紫外線照射周辺露光装置のレーザビームユニットの他の構成を模式的に示す側面図である。
【符号の説明】
【０１３４】
１…レーザビーム・紫外線照射周辺露光装置（本装置）  ２…ステージ  ２ａ…基台                ２ｂ…支持柱                ２ｃ…吸着用開口部  ２ｄ…位置決めマーク  ３…移動搬送機構  ３Ａ…第１移動ガイド機構  ３Ａ…第３移動ガイド機構  ３Ｂ…第２移動ガイド機構  ３Ｃ…第３移動ガイド機構  ３ａ…リニアモータ        ３ｂ…移動レール  ４…撮像手段  ５…レーザビームユニット  ５Ａ…レーザビームヘッド  ５ａ…レーザビーム光源    ５ｂ…光路調整反射鏡  ６…光路長調整ユニット  ６ａ…分岐手段            ６ｂ…ＣＣＤ撮像素子      ６ｃ…パワーメータ  ７…レーザ照射ユニット  ７ａ…音響光学素子        ７ｂ…反射鏡              ７ｃ…ガルバノミラユニット  ７ｄ…ｆθレンズ  ８…レーザビーム測定調整機構  ８ａ…パワーメータ        ８ｂ…ＣＣＤ撮像素子      ８ｃ…ビームエキスパンダ  ９      紫外線照射ユニット  ９ｃ１…遮光板              ９ｃ２…駆動部            ９ａ…放電灯  ９ｂ…楕円反射鏡            ９ｃ…光路シャッタ機構  ９ｄ…フライアイレンズ  ９ｅ    照射用レンズ        ９ｋ…筐体              ９ｍ…照射口  １０…照射領域調整シャッタ機構  １０Ａ…隠蔽板移動手段（第３移動手段）              １０Ａ１…第１フレーム体  １０Ａ２…第１駆動モータ    １０Ａ３…ネジ            １０Ａ４…移動ベース  １０Ａ５…スライド機構１０Ａ６…案内レール      １０Ａ７…移動部  １０Ｂ…隠蔽板移動手段（第１移動手段）              １０Ｂ１…第２フレーム体  １０Ｂ２…第２駆動モータ    １０Ｂ３…ネジ            １０Ｂ４…移動ベース  １０Ｂ５…スライド機構１０ｂ１…フレーム体      １０Ｂ６…案内レール  １０Ｂ７…移動部            １０Ｃ…隠蔽板移動手段（第４移動手段）  １０Ｃ２…第３駆動モータ    １０Ｄ…Ｙ方向移動手段（第２移動手段）  １０ａ…板フレーム          １０ｂ…板フレーム      １０ｄ…板フレーム  １０ｅ…板フレーム          １０Ｄ２…第４駆動モータ  １０Ｄ３…送りネジ  １０Ｄ４…移動部  １１…計測器  １１ａ…照度計測部          １１ｂ…照度計測部移動機構  １２…移動機構  １２ａ…リニアモータ        １２ｂ…案内レール  １３…照射面積調整シャッタ機構  １３ａ…幅調整遮光板        １３ｂ…幅調整遮光板移動部  １５…レーザビームユニット  １５ａ…光ファイバ  １７…レーザ照射ユニット  １７ｂ１…ミラー            １７ｂ２…トーションピン  １７ｂ３…ヨーク  １７ａ  反射鏡              １７ｂ…デジタルマイクロミラーディバイス   １７ｃ  ビーム照射用レンズ  ２０…制御機構  ２１…入力手段              ２２…カメラ駆動制御手段  ２３…画像データ入力手段  ２４…位置検出手段          ２５…整合手段            ２６…基板位置演算手段  ２７…移動搬送機構駆動制御手段              ２８…レーザビーム照射駆動制御手段  ２９…紫外線照射駆動制御手段  ３０…計測手段          ３１…記憶手段  Ａ１…支持フレーム  Ｂ１…第２フレーム体  Ｍ  …識別マーク  Ｍ１…識別マーク  Ｍ１…識別マーク  Ｔ１…隠蔽板（パターン領域隠蔽板）  Ｔ２…隠蔽板（第１識別マーク隠蔽板）  Ｔ３…隠蔽板（第２識別マーク隠蔽板）  Ｗ  …基板  Ｗｐ…パターン領域  Ｗｃ…周辺領域  ｂ１，ｃ１…ベース本体  ｂ２，ｃ２…接続片  ｔ２ｂ，ｔ３ｂ…開口部  ｔ２ｃ，ｔ３ｃ…���持線部  ｔ２ａ，ｔ３ａ…隠蔽部 
【図１】
2010224544.tif 000003
【図２】
2010224544.tif 000004
【図３】
2010224544.tif 000005
【図４】
2010224544.tif 000006
【図５】
2010224544.tif 000007
【図６】
2010224544.tif 000008
【図７】
2010224544.tif 000009
【図８】
2010224544.tif 000010
【図９】
2010224544.tif 000011
【図１１】
2010224544.tif 000012
【図１２】
2010224544.tif 000013
【図１３】
2010224544.tif 000014
【図１４】
2010224544.tif 000015
【図１０】
2010224544.tif 000016